(57)【要約】【課題】録画に関する履歴情報やユーザの嗜好情報を用いて、録画予約の際のユーザによる入力操作を容易にする。【解決手段】番組映像とともに、ユーザの嗜好に関する情報や録画履歴等を、リムーバブルな記憶メディアに記録する。当該記憶メディアを録画再生装置に装着することにより、ユーザの嗜好や録画履歴等が当該記憶メディアから取得され、これらの情報に基づいて、録画予約の際の番組選択対象がユーザに提供される。例えば、録画予約時に、当該記憶メディアに記憶済みの番組のタイトル、曜日、開始・終了時刻が、録画予約候補として一覧表示される。この内、所望の番組をユーザが選択すると、当該番組が録画予約される。【選択図】  図１
2004234708.tif 000002
【特許請求の範囲】
【請求項１】
番組情報の録画予約が可能な録画再生装置であって、
番組情報に関する付加情報を生成する付加情報生成手段と、
生成された前記付加情報とその番組情報とを互いに対応付けて前記記憶メディアに記憶する記憶手段と、
ユーザが情報を入力するための入力手段と、
前記記憶メディアに記憶された付加情報と前記入力手段からの入力情報にもとづいて録画予約情報を生成する録画予約生成手段と、
前記録画予約生成手段によって生成された録画予約情報にもとづいて番組情報の録画を制御する録画制御手段と、
備えることを特徴とする録画再生装置。
【請求項２】
請求項１において、
記憶メディアが前記録画再生装置に装着されたことを検知するメディア検知手段と、
前記メディア検知手段によって記憶メディアが前記録画再生装置に装着されたことが検知されたとき、前記記憶メディアから前記付加情報を読み出す付加情報再生手段とを備え、
前記録画予約生成手段は、前記再生手段によって読み出された付加情報にもとづいて録画予約のためのメニュー情報を生成して表示するメニュー表示手段を含むことを特徴とする録画再生装置。
【請求項３】
請求項２において、
前記付加情報は前記記憶メディアに記憶した番組情報の放送日に関する情報を含み、
録画予約生成手段は、前記付加情報に含まれる放送日を１週間進めた日を当該番組の録画予約日として前記メニュー情報を生成することを特徴とする録画再生装置。
【請求項４】
請求項２において、
前記付加情報は前記記憶メディアに記憶した番組情報の放送曜日および放送開始時間に関する情報を含み、
録画予約生成手段は、前記付加情報に含まれる放送曜日と放送開始時間を参照し、録画予約設定時から次に到来する放送曜日および放送開始時間を録画予約の日および開始時間として前記メニュー情報を生成することを特徴とする録画再生装置。
【請求項５】
番組情報の録画予約が可能な録画再生装置であって、
情報を入力するための入力手段と、
前記入力手段から入力に基づいて嗜好情報を生成する嗜好情報生成手段、
生成された前記嗜好情報を記憶メディアに記憶する記憶手段と、
放送予定の番組に関する番組ガイド情報を格納するガイド情報格納手段と、
前記記憶メディアに記憶された嗜好情報と前記番組ガイド情報に基づいて録画予約情報を生成する録画予約生成手段と、
前記録画予約生成手段によって生成された録画予約情報にもとづいて番組情報の録画を制御する録画制御手段と、
備えることを特徴とする録画再生装置。
【請求項６】
請求項５において、
記憶メディアが前記録画再生装置に装着されたことを検知するメディア検知手段と、
前記メディア検知手段によって記憶メディアが前記録画再生装置に装着されたことが検知されたとき、前記記憶メディアから嗜好情報を読み出す再生手段とを備え、
録画予約生成手段は、前記再生手段によって読み出された嗜好情報と前記番組ガイド情報とを比較して当該嗜好情報を含む番組を抽出する番組抽出手段と、抽出された番組の番組ガイド情報に基づいて録画予約のためのメニュー情報を生成して表示するメニュー表示手段とを含むことを特徴とする録画再生装置。
【発明の詳細な説明】
【０００１】
【発明の属する技術分野】
本発明は、放送番組を記録および再生する際の、コンテンツ選択支援方法および装置に関する。
【０００２】
【従来の技術】
一般に、放送番組を録画する場合、所定の放送時間に録画ボタンを手動で押す、または、放送時間、チャンネル等を入力し録画予約するのが一般的である。しかし録画予約毎に、これらの情報を入力するのは面倒であるという問題があった。
【０００３】
従来の録画予約の設定において、“毎週録画”という設定が可能なものがある。これによれば、一度の設定で、毎週同じ時間に放送される番組を録画予約することが可能になる。
【０００４】
一方、例えば、連続ドラマなどを録画する場合において、所定のビデオテープに繰り返し録画を行う、という録画の仕方がある。このような場合において、従来の“毎週録画”設定による録画においては、間違えて所定のビデオテープとは異なるビデオテープがセットされていたとき、そのビデオテープに予約した番組が録画されてしまう。
【０００５】
また、特許文献１〜３には、録画再生装置が電子番組情報を取得し、その中から、ユーザが登録した好みのジャンルや俳優名に一致するものを取り出し、お奨め番組を提示する技術が示されている。
【０００６】
このような場合において、複数のユーザが共有して録画再生装置を利用する場合には、何らかの方法でユーザを識別する必要がある。一例として、リモコンのボタンなどでユーザ名を入力し、それらの中から選択を行うものがある。
【０００７】
【特許文献１】
特開２０００−０１３７０８号公報
【０００８】
【特許文献２】
特開２０００−１１５０９８号公報
【０００９】
【特許文献３】
特開２００１−１９７３９２号公報
【００１０】
【発明が解決しようとする課題】
上記のように、従来の“毎週録画”設定による録画を行う場合には、特定の番組を特定の記憶媒体に録画するために、ユーザの注意が必要となる。
また、録画予約の設定を行っていても、録画再生装置の電源を一旦切ると、録画予約情報が消去されてしまうため、再度、予約情報を設定しなければならないという問題があった。
さらに、複数のユーザが録画再生装置を共有して利用する場合、各ユーザが嗜好情報を使ったコンテンツ選択を行う場合においては、ユーザを識別した上で、各ユーザの嗜好情報を管理することが必要となる。
しかし、このようなユーザによる操作は煩雑であり、手間がかかり面倒である。
【００１１】
さらに、ユーザが複数の録画再生装置を所有する場合には、各装置に好みのジャンルや俳優名等、自分用の情報を設定しなければならず、ユーザによる設定操作における負担が大きい、といった問題があった。
【００１２】
本発明は、かかる問題を解決するためになされたものであり、録画に関する履歴情報やユーザの嗜好情報を用いて、録画予約の際のユーザの入力操作を容易とする録画再生装置および記憶メディアを提供することを目的とする。
【００１３】
【課題を解決するための手段】
このような問題を解決するために、本発明は、番組映像とともに、ユーザの嗜好に関する情報や録画履歴等の付加情報を、リムーバブルな記憶メディアに記録する。当該記憶メディアを録画再生装置に装着することにより、ユーザの嗜好や録画履歴等の情報が当該記憶メディアから取得され、これらの情報に基づいて、録画予約の際の番組選択対象がユーザに提供される。例えば、録画予約時に、当該記憶メディアに記憶済みの番組のタイトル、曜日、開始・終了時刻が、録画予約候補として一覧表示される。この内、所望の番組をユーザが選択すると、当該番組が録画予約される。これにより、その記録メディアには、ユーザの嗜好情報に関する番組や過去に録画したものと同一の番組が集約されるようになる。
【００１４】
各請求項に係る発明の特徴は以下の通りである。
【００１５】
請求項１の発明は、番組情報の録画予約が可能な録画再生装置であって、番組情報に関する付加情報を生成する付加情報生成手段と、生成された前記付加情報とその番組情報とを互いに対応付けて前記記憶メディアに記憶する記憶手段と、ユーザが情報を入力するための入力手段と、前記記憶メディアに記憶された付加情報と前記入力手段からの入力情報にもとづいて録画予約情報を生成する録画予約生成手段と、前記録画予約生成手段によって生成された録画予約情報にもとづいて番組情報の録画を制御する録画制御手段とを備えることを特徴とする。
【００１６】
請求項２の発明は、請求項１に記載の録画再生装置において、記憶メディアが前記録画再生装置に装着されたことを検知するメディア検知手段と、前記メディア検知手段によって記憶メディアが前記録画再生装置に装着されたことが検知されたとき、前記記憶メディアから前記付加情報を読み出す付加情報再生手段とを備え、前記録画予約生成手段は、前記再生手段によって読み出された付加情報にもとづいて録画予約のためのメニュー情報を生成して表示するメニュー表示手段を含むことを特徴とする。
【００１７】
請求項３の発明は、請求項２に記載の録画再生装置において、前記付加情報は前記記憶メディアに記憶した番組情報の放送日に関する情報を含み、録画予約生成手段は、前記付加情報に含まれる放送日を１週間進めた日を当該番組の録画予約日として前記メニュー情報を生成することを特徴とする。
【００１８】
請求項４の発明は、請求項２に記載の録画再生装置において、前記付加情報は前記記憶メディアに記憶した番組情報の放送曜日および放送開始時間に関する情報を含み、録画予約生成手段は、前記付加情報に含まれる放送曜日と放送開始時間を参照し、録画予約設定時から次に到来する放送曜日および放送開始時間を録画予約の日および開始時間として前記メニュー情報を生成することを特徴とする。
【００１９】
請求項５の発明は、番組情報の録画予約が可能な録画再生装置であって、情報を入力するための入力手段と、前記入力手段から入力に基づいて嗜好情報を生成する嗜好情報生成手段、生成された前記嗜好情報を記憶メディアに記憶する記憶手段と、放送予定の番組に関する番組ガイド情報を格納するガイド情報格納手段と、前記記憶メディアに記憶された嗜好情報と前記番組ガイド情報に基づいて録画予約情報を生成する録画予約生成手段と、前記録画予約生成手段によって生成された録画予約情報にもとづいて番組情報の録画を制御する録画制御手段とを備えることを特徴とする。
【００２０】
請求項６の発明は、請求項５に記載の録画再生装置において、記憶メディアが前記録画再生装置に装着されたことを検知するメディア検知手段と、前記メディア検知手段によって記憶メディアが前記録画再生装置に装着されたことが検知されたとき、前記記憶メディアから嗜好情報を読み出す再生手段とを備え、録画予約生成手段は、前記再生手段によって読み出された嗜好情報と前記番組ガイド情報とを比較して当該嗜好情報を含む番組を抽出する番組抽出手段と、抽出された番組の番組ガイド情報に基づいて録画予約のためのメニュー情報を生成して表示するメニュー表示手段とを含むことを特徴とする。
【００２１】
なお、本発明の請求項における「番組情報」は、放送番組の音声情報を含む映像情報のことを指す。また、「番組ガイド情報」は、放送日時や番組のタイトル等、番組に関する情報であり、例えば、電子番組情報（ＥＰＧ）と称されるものである。
【００２２】
本発明の特徴は、以下に示す実施の形態の説明により更に明らかとなろう。
但し、以下の実施の形態は、あくまでも、本発明の一つの実施形態である。本発明ないし各構成要件の用語の定義は、以下の実施の形態に記載されたものに制限されるものではない。
【００２３】
【発明の実施の形態】
以下、本発明の実施形態について図面を参照して説明する。
【００２４】
（第１実施例）
図１は、第１実施例における録画再生システムの概略構成図である。
【００２５】
本実施例では、番組映像の他に付加情報として、番組映像に関するタイトル、放送チャンネル、放送日および曜日、録画開始時刻、録画終了時刻を記憶メディア２００に記憶し、これらの情報を次回の録画予約等に利用する例を示す。
【００２６】
録画再生システムは、録画再生装置１００、リムーバブルな記憶メディア２００、表示装置３００からなる。
【００２７】
録画再生装置１００は、記憶メディアとして、着脱可能な記憶メディア２００を装着し、録画時には、番組映像と当該番組映像に伴う付加情報を記憶メディア２００に記憶する。記憶された番組映像は、録画再生装置１００によって再生され、表示装置３００に表示および音声出力される。また、前記記憶された付加情報は、記憶された番組映像を再生する際のインデックスとして、または、次回の録画予約の際の選択情報として参照される。
【００２８】
図２は、録画再生装置１００の構成を示す図である。
【００２９】
録画再生装置１００は、チューナ部１０１、信号処理部１０２、映像データ記憶処理部１０３、付加情報生成部１０４、記憶制御部１０５、再生制御部１０６、映像データ再生部１０７、メニュー作成部１０８、表示制御部１０９、ユーザ入力部１１０、メディア着脱検知部１１１、録画予約制御部１１２から構成されている。
【００３０】
チューナ部１０１は、受信したテレビ信号からユーザ指定のチャンネルに対する信号を抽出する。
【００３１】
信号処理部１０２は、チューナ部１０１からの出力された信号をデジタルデータとして出力する。
【００３２】
映像データ記憶処理部１０３は、デジタル化された映像データ（音声データを含む）を記憶用に画像圧縮処理する。
【００３３】
付加情報生成部１０４は、録画予約情報や電子番組情報等から番組映像に関連する情報を作成する。また、一時記憶用のメモリを有し、作成された付加情報や記憶メディア２００から読み出された付加情報を一時的に記憶する。
【００３４】
記憶制御部１０５は、所定のフォーマットにしたがってデータを記憶メディア２００に記憶する。
【００３５】
再生制御部１０６は、記憶メディア２００からデータを読み出す。
【００３６】
映像データ再生部１０７は、記憶メディア２００から読み出した映像データ（音声データを含む）を復号処理する。
【００３７】
メニュー作成部１０８は、前記付加情報や電子番組情報等を用いて、録画予約時に録画予約内容を入力するためのメニューや、記憶した番組映像の再生時に番組映像を選択するためのメニューを作成する。
【００３８】
表示制御部１０９は、復号された番組映像（音声含む）や前記メニュー等を表示装置３００に出力するよう制御する。
【００３９】
ユーザ入力部１１０は、リモコン等からのユーザの入力を処理する。
【００４０】
メディア着脱検知部１１１は、記憶メディア２００が当該録画再生装置１００に装着されているか否か検出する。
【００４１】
録画予約制御部１１２は、ユーザの入力や前記メニューに基づいて録画予約を生成し、カレンダや時計（図示しない）を用いて録画開始終了を制御する。また、録画予約内容に応じてチューナ部１０１を制御し所望のチャンネルを設定する。
【００４２】
図３は、番組映像を記憶メディア２００に記憶する際のデータ形式の一例である。
【００４３】
ひとつの番組映像に関するデータとして、圧縮処理が施された番組映像データの他、タイトル、放送チャンネル、放送日、開始時刻、終了時刻等の当該映像データに関する付加情報が準備され、これらが互いに対応付けられて記憶メディア２００に記憶される。
【００４４】
図の例では、番組映像“Ａ”が、２００２年１０月１日の２１：００から２２：００まで、チャンネル”１０“によって放送された、”ニュース９時“というタイトルの番組映像であることを示している。
【００４５】
次に、図４〜図８のフローチャートを用いて、録画再生装置１００の動作の詳細を説明する。
【００４６】
録画再生装置１００の動作処理の全容を、図４に示す。
【００４７】
録画再生装置１００において、メディア着脱検知部１１１が、記憶メディア２００が録画再生装置１００に装着されているか否かを検知する（Ｓ４０１）。
【００４８】
このとき、記憶メディア２００が装着されていない場合、本処理を終了する（Ｓ４０２）。
【００４９】
記憶メディア２００が装着されている場合、再生制御部１１１は、装着された記憶メディア２００から、記憶されている付加情報を読み出す（Ｓ４０３）。読み出された付加情報は付加情報生成部１０４に一時的に記憶される。
【００５０】
次に、ユーザ入力部１１６を介して、ユーザが動作を指示する。当該指示はユーザ入力部１１６によって解析され、その指示に対応した処理が実行される（Ｓ４０４，Ｓ４０６，Ｓ４０８）。
【００５１】
当該指示が、“再生”の場合、再生処理（後述する）を行う（Ｓ４０５）。
当該指示が、“録画”の場合、録画処理（後述する）を行う（Ｓ４０７）。
当該指示が、“録画予約”の場合、録画予約処理（後述する）を行う（Ｓ４０９）。
【００５２】
各処理が終了すると、Ｓ４０１から本処理を繰り返す。
【００５３】
１．再生処理
番組映像を再生する再生処理の流れを、図５に示す。
【００５４】
再生処理が指示されると、メニュー生成部４０８は、前述のＳ４０３にて取得した付加情報があるか否かを判定する（Ｓ５０１）。このとき、付加情報がない場合、当該記憶メディア２００に番組映像が一つも記憶されていないことを示すため、再生処理を終了する（Ｓ５０８）。
【００５５】
付加情報がある場合、メニュー生成部１０８は、前記付加情報を用いて、これまでに記憶した番組映像の一覧を示すメニュー情報を作成し、これを表示制御部１０９に送る。表示制御部１０９は、作成されたメニューを表示装置３００に表示する（Ｓ５０２）。
【００５６】
次に、ユーザが表示装置３００に表示されたメニューを参照し、再生する番組映像をユーザ入力部１１０を介して選択した後、選択確定指令を入力すると（Ｓ５０３）、当該選択した番組が再生対象として設定される（Ｓ５０４）。
【００５７】
然る後、ユーザが、当該選択した番組の再生指令をユーザ入力部１１０を介して入力すると、再生制御部１０６は、当該番組映像の再生を開始し、記憶メディア２００から当該番組映像の番組映像データを読み出す（Ｓ５０５）。読み出された番組映像データは、映像データ再生部１０７によって復号され、表示制御部１０９を介して、表示装置３００に表示される（Ｓ５０６）。
【００５８】
上記再生処理は、ユーザ入力部１１０からのユーザによる再生終了の指示があるまで、または、再生する番組映像データがなくなるまで継続される（Ｓ５０７）。ユーザによって再生終了の指示がなされた場合、または、再生する番組映像データがなくなった場合には、再生処理が終了される（Ｓ５０８）。
【００５９】
２．録画処理
番組映像を録画する録画処理の流れを、図６に示す。
【００６０】
ユーザ入力部１１０を介して、所望のチャンネルを設定した後、ユーザが録画開始指令を入力すると、付加情報生成部１０４は、録画開始時点の日時や曜日を録画再生装置１００内のカレンダや時計より取得し、これらを当該番組のチャンネル情報と共に自己の内蔵メモリに一時記憶する（Ｓ６０１）。
【００６１】
次に、ユーザ入力部１１０からユーザが設定したチャンネルの番組映像の記憶処理が開始される（Ｓ６０２）。このとき、チューナ部１０１は、受信したテレビ信号からユーザが設定したチャンネルに対する信号を抽出する。抽出された信号は、信号処理部１０２によってデジタルデータとして出力される。
【００６２】
デジタル化された番組映像データ（音声データを含む）は、映像データ記憶処理部１０３によって記憶用に画像圧縮処理され、記憶制御部１０６によって記憶メディア２００に記憶される。
【００６３】
ユーザが録画終了を指示した時（Ｓ６０３）、付加情報生成部１０４は、録画終了時点の日時を時計より取得し、これを自己の内蔵メモリに一時記憶する。そして、当該内蔵メモリに既に記憶されている当該番組の開始日時、曜日、チャンネルに関する情報と共に、この終了日時の情報をメニュー作成部１０８に送る。メニュー生成部１０８は、これらの情報からメニュー情報を作成し、これを表示制御部１０９に送る。表示制御部１０９は、このメニュー情報を、当該録画した番組映像の付加情報として、録画日時やチャンネルを表示装置３００に表示する（Ｓ６０４）。
【００６４】
上記表示中、付加情報としてタイトルを追加する場合（Ｓ６０５）、ユーザはユーザ入力部１１０からのタイトルを入力する。
【００６５】
付加情報生成部１０４は、これを上記メモリに既に記憶されている当該番組の付加情報に追加する（Ｓ６０６）。このとき、タイトル入力があったときのみ、タイトルを付加情報に追加するものとする。また、タイトル入力があるか否かは、例えば、付加情報の表示から一定時間が経過したタイミングで判別される。
【００６６】
記憶制御部１０５は、このようにして、生成した付加情報を録画した番組映像と対応づけて記憶メディア２００に記憶し（Ｓ６０７）、録画処理を終了する。
【００６７】
３．付加情報を用いた録画予約処理
番組映像を録画予約する録画予約処理の流れを、図７に示す。
【００６８】
本実施例の録画予約処理では、以前に記憶された番組映像の付加情報を録画予約に利用する。
【００６９】
番組映像が録画された記憶メディア２００が録画再生装置１００にセットされると、再生制御部１０６は、記憶メディア２００に記憶されている番組情報の付加情報を抽出する（Ｓ７０１）。
【００７０】
当該記憶メディア２００に付加情報が記憶されてないとき、マニュアル設定処理へ進む（Ｓ７０２）。
【００７１】
当該記憶メディア２００に付加情報が記憶されているとき、メニュー生成部１０８は抽出した付加情報の一覧を作成し、表示制御部１０９はこれを表示装置３００に表示する（Ｓ７０３）。
【００７２】
表示された一覧から録画予約を行いたい番組をユーザがユーザ入力部１１０を介して選択し確定すると（Ｓ７０４）、メニュー生成部１０８は、確定した番組の付加情報を用いて録画予約メニューを作成し、表示制御部１０９を介して表示装置３００に表示する。このとき、録画予約の日は、当該録画番組の付加情報中の録画日を１週間進めた日とされる（Ｓ７０５）。
【００７３】
この際、１週間進めた日および録画開始時刻が既に経過している場合、メニュー作成部１０８は、付加情報中の曜日を参照し、現時点を基準として次の週の該当曜日を録画再生装置１００内のカレンダから取得し、この曜日を録画予約の日として設定する。
【００７４】
表示された録画予約内容に対して、ユーザは必要に応じてユーザ入力部１１０より、放送日や録画開始時刻等を修正する。このとき、録画予約内容中に番組のタイトルが表示されていない場合には、適宜、番組のタイトルを追加する修正がなされる（Ｓ７０６）。
【００７５】
そして、録画予約内容の入力が完了したら、この録画予約内容を確定し（Ｓ７０７）、録画予約制御部１１２に設定する（Ｓ７０８）。
【００７６】
録画予約制御部１１２は、日時を計測し、録画が指定された日時になると録画処理を開始し（Ｓ７０９）、指定されたチャンネルをチューナ部１０１に指示し、ユーザ所望のチャンネルの番組映像を取得し、録画を開始する（Ｓ７１０）。録画処理については、前述の録画処理と同様である。
【００７７】
録画が終了すると（Ｓ７１１）、付加情報生成部１０４は、録画日時、チャンネル、タイトル等から録画した番組映像の付加情報を作成し（Ｓ７１２）、記憶制御部１０５は、これを記憶メディア２００に記憶する（Ｓ７１３）。
【００７８】
４．録画予約処理（マニュアル設定）
録画予約時のマニュアル設定の流れを、図８に示す。
【００７９】
メニュー生成部１０８によって、録画予約メニューが生成され、表示装置３００に表示されると、ユーザはユーザ入力部１１０より、録画の予約内容として、録画日時、チャンネル、タイトルを入力する（Ｓ７０２１）。
【００８０】
録画予約内容の入力が完了したら、この録画予約内容を確定し（Ｓ７０２２）、
録画予約制御部１１２に設定する（Ｓ７０２３）。
【００８１】
録画予約制御部１１２は、日時を計測し、録画が指定された日時になると録画処理を開始し（Ｓ７０２４）、指定されたチャンネルをチューナ部１０１に指示し、所望のチャンネルの番組映像を取得し、録画を開始する（Ｓ７０２５）。録画処理については、前述の録画処理と同様である。
【００８２】
録画が終了すると（Ｓ７０２６）、付加情報生成部１０４は、録画日時、チャンネル、タイトル等から録画した番組映像の付加情報を作成し（Ｓ７０２７）、記憶制御部１０５は、これを記憶メディア２００に記憶する（Ｓ７０２８）。
【００８３】
上記第１実施例によれば、番組映像を録画した記憶メディア２００に、録画した番組映像の付加情報を記憶することにより、録画番組の次回放送分の録画予約の設定を容易に行うことができる。
【００８４】
さらに、録画予約情報が録画再生装置１００に装着された記憶メディア２００に記憶された番組映像の付加情報に基づいて作成されることにより、例えば、毎週放送される同一の番組映像を当該記憶メディア２００に記憶することができる。
【００８５】
なお、上記実施例において、ユーザによる選択や指示等の確定は、ユーザ入力部１１０の確定ボタン等の操作にて行うものとする。
【００８６】
また、録画の際、番組映像は記憶メディア２００の未使用領域に記憶してもよいし、あるいは、前回の放送分が記憶されている領域に上書きしてもよい。また、ユーザの指示により、これらのうちどちらにするかを選択するようにしてもよい。
【００８７】
未使用領域が少ない場合には、前回の録画した番組映像に対して、さらに圧縮率を上げて再圧縮し、記憶メディア２００に記憶し直すことによって、未使用領域を増やすことも可能である。
【００８８】
（第２実施例）
本実施例では、上記第１の実施例における付加情報に代えて、ユーザの好みのジャンルやキーワードなどユーザの嗜好情報を記憶メディアに記憶し、これを番組映像の録画予約に利用する例を示す。
【００８９】
図９は、第２実施例における録画再生システムの概略構成図である。また、図１０は、録画再生装置８００の構成を示す図である。
【００９０】
尚、第１実施例における録画再生システムの概略構成、および、録画再生装置１００と同一の機能を有するブロックには、同一番号を付し、その説明は省略する。以下、本発明により新たに提供される機能についてのみ、説明する。
【００９１】
電子番組情報９００は、放送される番組について、開始時刻、終了時刻、タイトル、チャンネル、出演者、あらすじ等からなり、放送の視聴時や録画予約時に、録画再生装置８００から参照される。
【００９２】
録画再生装置８００は、第１実施例の録画再生装置１００に加えて、電子番組情報（ＥＰＧ）を利用するものであり、ＥＰＧデータ処理部１１３を新たに含む構成となっている。
【００９３】
ＥＰＧデータ処理部１１３は、電子番組情報９００から任意の条件を用いて、番組検索や所望の番組のデータ取得を実行する。
【００９４】
図１１は、本実施例におけるユーザの嗜好情報の一例である。同図では、嗜好情報として、ユーザの好みの番組ジャンルは“ドラマ”、出演者は“○○△△”であることを示す。
【００９５】
図１２は、本実施例における電子番組情報の一例である。表示する項目は任意に設定可能であり、本実施例では、番組のタイトル、その番組が放送されるチャンネル、放送時間、番組のジャンル、出演者である。
【００９６】
以下、本実施例における録画再生装置８００の動作について説明する。
【００９７】
なお、本実施例における再生処理、録画処理は、第１実施例と同様であるため、その説明は省略する。以下、本実施例により新たに提供される録画予約処理についてのみ、説明する。
【００９８】
１．嗜好情報を用いた録画予約処理
ユーザの嗜好情報を用いて録画予約を実行する場合の録画予約処理の流れを図１３に示す。
【００９９】
番組映像が録画された記憶メディア２００が録画再生装置８００にセットされると、再生制御部１０６は、記憶メディア２００に記憶されているユーザの嗜好情報を抽出する（Ｓ１００１）。
【０１００】
当該記憶メディア２００に嗜好情報が記憶されてないとき（Ｓ１００２）、メニュー生成部１０８は、嗜好情報を入力するためのメニューを生成し、表示制御部１０９はこれを表示装置３００に表示する（Ｓ１００３）。
【０１０１】
ユーザがユーザ入力部１１０より嗜好情報を入力すると、入力された嗜好情報は、記憶制御部１０５を介して記憶メディア２００に記憶される（Ｓ１００４）。
【０１０２】
Ｓ１００１において記憶メディア２００から取得したユーザの嗜好情報、もしくは、Ｓ１００４において入力したユーザの嗜好情報を用いて、ＥＰＧデータ処理部１１３は、電子番組情報９００の中から、当該嗜好情報と一致する番組だけを抽出する（Ｓ１００５）。
【０１０３】
メニュー生成部１０８は、抽出した番組の一覧を作成し、表示制御部１０９を介して表示装置３００に一覧表示する（Ｓ１００６）。
【０１０４】
ユーザは表示された番組一覧の中から、録画したい番組を選択し（Ｓ１００７）、録画予約内容を確定すると（Ｓ１００８）、当該録画予約内容は録画予約制御部１１２に設定される。
【０１０５】
以降の録画予約処理については、第１実施例の録画予約処理（Ｓ７０８）と同様である。
【０１０６】
上記第２実施例によれば、ユーザの嗜好情報を記憶メディア２００に記憶することによって、番組の録画予約におけるユーザの操作を簡単にすることができる。
【０１０７】
１台の録画再生装置を複数のユーザが使用する場合においては、ユーザ毎ごとに記憶メディアを持つことにより、自己の記憶メディアを録画再生装置にセットすることによって、自動的にユーザ毎の嗜好に応じた録画予約を実行することができる。
【０１０８】
さらに、ユーザが複数の録画再生装置を利用する場合、自己の記憶メディアをセットすれば、どの録画再生装置でも同じように、嗜好情報に応じた録画予約を実行することができる。
【０１０９】
このように、記憶メディアに記憶された嗜好情報を利用して、録画予約を行うことで、その記憶メディアに同一ジャンル、同一出演者の番組を集約させることができる。
【０１１０】
なお、本発明は、上記実施の形態に制限されるものではなく、他に種々の変更が可能であることは言うまでもない。
【０１１１】
例えば、上記第１の実施例の機能と第２の実施例の機能の両方を同時に有するように録画再生装置１００を構成しても良い。すなわち、第１の実施例における付加情報と第２の実施例における嗜好情報の両方を記憶メディア２００に記憶させ、これら両情報に基づいて、録画予約のためのメニュー情報を生成・表示するようにする。これにより、好みの番組を一つの記憶メディアに集約させながら、記憶される番組情報の豊富化を図ることができるようになる。
【０１１２】
【発明の効果】
上記のように、本発明によれば、特定の記憶メディアに毎回同じ番組を録画予約する場合、番組選択や日時入力等、ユーザによる録画予約操作を簡便にすることができる。
【０１１３】
また、記憶メディアを入れ替えることにより、ユーザ毎の録画予約情報を切り替えることができる。また、記憶メディアにユーザ毎に異なる嗜好情報を記憶することにより、複数の録画再生装置を利用する場合でも、録画再生装置毎に嗜好情報を設定する必要がなくなり、録画再生装置を利用するユーザの利便性を高めることができる。
【図面の簡単な説明】
【図１】第１実施例における録画再生システムの概略構成図である。
【図２】録画再生装置１００の構成を示す図である。
【図３】付加情報および番組映像を記憶する際のデータ形式の一例である。
【図４】録画再生装置１００の処理を示すフローチャートである。
【図５】録画再生装置１００の再生処理を示すフローチャートである。
【図６】録画再生装置１００の録画処理を示すフローチャートである。
【図７】録画再生装置１００の録画予約処理を示すフローチャートである。
【図８】録画再生装置１００の録画予約時のマニュアル設定処理を示すフローチャートである。
【図９】第２実施例における録画再生システムの概略構成図である。
【図１０】録画再生装置８００の構成を示す図である。
【図１１】本実施例における付加情報の一例である。
【図１２】本実施例における電子番組情報の一例である。
【図１３】嗜好情報を用い録画予約する場合の処理を示すフローチャートである。
【図１】
2004234708.tif 000003
【図２】
2004234708.tif 000004
【図３】
2004234708.tif 000005
【図４】
2004234708.tif 000006
【図５】
2004234708.tif 000007
【図６】
2004234708.tif 000008
【図７】
2004234708.tif 000009
【図８】
2004234708.tif 000010
【図９】
2004234708.tif 000011
【図１０】
2004234708.tif 000012
【図１１】
2004234708.tif 000013
【図１２】
2004234708.tif 000014
【図１３】
2004234708.tif 000015